(57)【特許請求の範囲】
【請求項１】
電源管理チップ、デジタルベースバンドチップ、第１の無線周波数チップ、第２の無線周波数チップ、第１のカードスロット、第２のカードスロット、第１のクロックソース、及び第２のクロックソースを備えるマルチモード端末であって、
前記電源管理チップは、前記デジタルベースバンドチップ、前記第１のカードスロット、及び前記第２のカードスロットに接続され、前記デジタルベースバンドチップ、前記第１のカードスロット、及び前記第２のカードスロットに給電し、
前記デジタルベースバンドチップは、前記第１のカードスロット及び前記第２のカードスロットにさらに接続され、同相／直交Ｉ／Ｑデータ線及び制御線を介して前記第１の無線周波数チップ及び前記第２の無線周波数チップにそれぞれ接続され、サポートするモードのＩ／Ｑ信号の送受信及び処理、並びに、サポートするモードの送信パス及び受信パスの制御を実現し、
前記第１のクロックソースは、前記第１の無線周波数チップに接続され、前記第１の無線周波数チップに基準クロックを提供し、
前記第２のクロックソースは、前記第２の無線周波数チップに接続され、前記第２の無線周波数チップに基準クロックを提供し、
前記第１の無線周波数チップと前記第２の無線周波数チップの間にクロックパスがさらに接続され、
前記第１の無線周波数チップは、前記クロックパスを介して、出力クロックを前記第２の無線周波数チップの基準クロックとして前記第２の無線周波数チップに提供する、
ことを特徴とするマルチモード端末。
【請求項２】
前記デジタルベースバンドチップは、加入者識別モジュールカード処理ユニットを備え、
前記加入者識別モジュールカード処理ユニットは、第１の加入者識別モジュールカード処理ユニット、第２の加入者識別モジュールカード処理ユニット、及び、前記第１のカードスロットと前記第２のカードスロットの各ピンと一対一に対応するＭＵＸを備え、
前記ＭＵＸの一方の側は対応するピンに接続され、他方の側は前記第１の加入者識別モジュールカード処理ユニットと前記第２の加入者識別モジュールカード処理ユニットのピンと対応する機能端にそれぞれ接続される、
ことを特徴とする請求項１に記載のマルチモード端末。
【請求項３】
前記デジタルベースバンドチップは、クロック処理ユニットを備え、
前記クロック処理ユニットは、システムクロック処理ユニット、クロック選択ＭＵＸ、ＰＬＬ、第１のモードクロックモジュール、第２のモードクロックモジュール、第１のクロック入力端、第２のクロック入力端、及び第３のクロック入力端を備え、
前記第１のクロック入力端は、前記システムクロック処理ユニットに接続され、前記システムクロック処理ユニットに作動クロックを提供し、
前記第１のクロック入力端は、さらに前記第２のクロック入力端とともに前記クロック選択ＭＵＸの入力端に接続され、
前記クロック選択ＭＵＸの出力端は、前記ＰＬＬの入力端に接続され、
前記ＰＬＬの出力端は、前記第１のモードクロックモジュールに接続され、前記第１のモードクロックモジュールに作動クロックを提供し、
前記第２のクロック入力端は、さらに前記第１のモードクロックモジュールに直接に接続され、前記第１のモードクロックモジュールに作動クロックを提供し、
前記第３のクロック入力端は、前記第２のモードクロックモジュールに接続され、前記第２のモードクロックモジュールに作動クロックを提供する、
ことを特徴とする請求項１に記載のマルチモード端末。
【請求項４】
前記第１のクロック入力端は、さらに前記第１の無線周波数チップにおけるクロックアンプバッファに接続され、
前記第２のクロック入力端は、さらに前記第１の無線周波数チップにおけるクロック位相ロックループに接続され、
前記第３のクロック入力端は、さらに前記第２の無線周波数チップに接続される、
ことを特徴とする請求項３に記載のマルチモード端末。
【請求項５】
前記第２の無線周波数チップは、クロック選択ユニットを備え、
前記クロック選択ユニットは、マルチプレクサ及びクロックアンプを備え、
前記マルチプレクサの入力端は、前記クロックパスと前記第２のクロックソースに接続され、
前記マルチプレクサの出力端は、前記クロックアンプの入力端に接続され、
前記クロックアンプの出力は、前記第２の無線周波数チップの基準クロックとされる、
ことを特徴とする請求項１に記載のマルチモード端末。
【請求項６】
前記デジタルベースバンドチップは、Ｉ／Ｑデータ処理ユニットを備え、
前記Ｉ／Ｑデータ処理ユニットは、第１のモデム及び第２のモデムを備え、
前記第１のモデムは、第１のＩＱデータ線、第２のＩＱデータ線、及び第１のサンプリングクロックインターフェース線を介して第１の無線周波数チップに接続され、
前記第２のモデムは、第３のＩＱデータ線及び第２のサンプリングクロックインターフェース線を介して第２の無線周波数チップに接続される、
ことを特徴とする請求項１に記載のマルチモード端末。
【請求項７】
前記デジタルベースバンドチップは、システムオンチップユニットを備え、
前記システムオンチップユニットは、複数の中央処理装置及びデジタル信号処理ユニットを備え、
前記複数の中央処理装置及びデジタル信号処理ユニットは、クロスバーマトリックスを介して通信し、
前記クロスバーマトリックスのポートには、モードの異なる複数のモデムが相互接続マトリックスを介して掛けられ、
前記モードの異なる複数のモデムは、さらに前記第１のモデム又は前記第２のモデムに接続される、
ことを特徴とする請求項６に記載のマルチモード端末。
【請求項８】
前記デジタルベースバンドチップは、無線周波数制御管理ユニットを備え、
前記無線周波数制御管理ユニットは、無線周波数シリアル周辺機器インタフェース制御ユニットを備え、
前記無線周波数シリアル周辺機器インタフェース制御ユニットは、第１のシングルデュアルモードセレクタ、第２のシングルデュアルモードセレクタ、第１のピン多重化セレクタ、及び第２のピン多重化セレクタを備え、
前記第１のモデムのシリアル周辺機器インタフェースは、前記第１のシングルデュアルモードセレクタ及び前記第２のシングルデュアルモードセレクタにそれぞれ接続され、
前記第２のモデムのシリアル周辺機器インタフェースは、前記第１のシングルデュアルモードセレクタ及び前記第２のシングルデュアルモードセレクタにそれぞれ接続され、
前記第１のシングルデュアルモードセレクタは、前記第１のピン多重化セレクタを介して前記第１の無線周波数チップのシリアル周辺機器インタフェースピンに接続され、
前記第２のシングルデュアルモードセレクタは、前記第２のピン多重化セレクタを介して前記第２の無線周波数チップのシリアル周辺機器インタフェースピンに接続される、
ことを特徴とする請求項６に記載のマルチモード端末。
【請求項９】
前記デジタルベースバンドチップは、無線周波数制御管理ユニットを備え、
前記無線周波数制御管理ユニットは、無線周波数汎用入出力制御ユニットを備え、
前記無線周波数制御管理ユニットは、第１のモードセレクタ、第２のモードセレクタ、第３のピン多重化セレクタ、及び第４のピン多重化セレクタを備え、
前記第１のモデムの制御線は、前記第１のモードセレクタ及び前記第２のモードセレクタにそれぞれ接続され、
前記第２のモデムの制御線は、前記第１のモードセレクタ及び前記第２のモードセレクタにそれぞれ接続され、
前記第１のモードセレクタは、前記第３のピン多重化セレクタを介して前記第１の無線周波数チップの汎用入出力ピンに接続され、
前記第２のモードセレクタは、前記第４のピン多重化セレクタを介して前記第２の無線周波数チップの汎用入出力ピンに接続される、
ことを特徴とする請求項６に記載のマルチモード端末。
【請求項１０】
第２の無線周波数チップが第２のクロックソースを基準クロックとして選択するように、デジタルベースバンドチップが前記第２の無線周波数チップを制御するステップと、
前記デジタルベースバンドチップがモードの異なるモデムをそれぞれ独立に操作するステップと、
第１のピン多重化セレクタを介して第１の無線周波数チップのシリアル周辺機器インタフェースピンに接続される第１のシングルデュアルモードセレクタが第１のモデムのシリアル周辺機器インタフェースを選択するように、前記デジタルベースバンドチップが前記第１のシングルデュアルモードセレクタを制御し、且つ、第２のピン多重化セレクタを介して第２の無線周波数チップのシリアル周辺機器インタフェースピンに接続される第２のシングルデュアルモードセレクタが第２のモデムのシリアル周辺機器インタフェースを選択するように、前記デジタルベースバンドチップが前記第２のシングルデュアルモードセレクタを制御するステップと、
第３のピン多重化セレクタを介して第１の無線周波数チップの汎用入出力ピンに接続される第１のモードセレクタが第１のモデムの汎用入出力を選択するように、前記デジタルベースバンドチップが前記第１のモードセレクタを制御し、且つ、第４のピン多重化セレクタを介して第２の無線周波数チップの汎用入出力ピンに接続される第２のモードセレクタが第２のモデムの汎用入出力を選択するように、前記デジタルベースバンドチップが前記第２のモードセレクタを制御するステップと、
を含むマルチモード端末のハンドオーバ方法。
【請求項１１】
第２の無線周波数チップが第１の無線周波数チップの出力クロックを基準クロックとして選択するように、デジタルベースバンドチップが前記第２の無線周波数チップを制御するステップと、
前記デジタルベースバンドチップがモードの異なるモデムをそれぞれ独立に操作するステップと、
第１のピン多重化セレクタを介して第１の無線周波数チップのシリアル周辺機器インタフェースピンに接続される第１のシングルデュアルモードセレクタが第１のモデムのシリアル周辺機器インタフェース又は第２のモデムのシリアル周辺機器インタフェースを選択するように、前記デジタルベースバンドチップが前記第１のシングルデュアルモードセレクタを制御し、且つ、第２のピン多重化セレクタを介して第２の無線周波数チップのシリアル周辺機器インタフェースピンに接続される第２のシングルデュアルモードセレクタが第１のモデムのシリアル周辺機器インタフェース又は第２のモデムのシリアル周辺機器インタフェースを選択するように、前記デジタルベースバンドチップが前記第２のシングルデュアルモードセレクタを制御するステップと、
第３のピン多重化セレクタを介して第１の無線周波数チップの汎用入出力ピンに接続される第１のモードセレクタが第１のモデムの汎用入出力又は第２のモデムの汎用入出力を選択するように、前記デジタルベースバンドチップが前記第１のモードセレクタを制御し、且つ、第４のピン多重化セレクタを介して第２の無線周波数チップの汎用入出力ピンに接続される第２のモードセレクタが第１のモデムの汎用入出力又は第２のモデムの汎用入出力を選択するように、前記デジタルベースバンドチップが前記第２のモードセレクタを制御するステップと、
を含むマルチモード端末のハンドオーバ方法。
【発明の詳細な説明】
【技術分野】
【０００１】
本発明は端末ハードウェア分野に関し、特にマルチモード端末及びマルチモード端末のハンドオーバ方法に関する。
【背景技術】
【０００２】
従来の一部の電信オペレータは、複数のモードの異なるネットワークをオペレーションしている。例えば、中国聯通はＧＳＭ（グローバルモバイル通信システム）ネットワーク及びＷＣＤＭＡ（広帯域符号分割多元接続）ネットワークを持ち、中国移動はＧＳＭネットワーク、ＴＤ−ＳＣＤＭＡ（時分割複信符号分割多元接続）ネットワーク、及びＴＤ−ＬＴＥ（時分割ロングタームエボリューション）ネットワークなどを持つ。従来のＬＴＥネットワークの音声サービスは、ＣＳＦＢ（回線交換フォールバック）技術で音声通話機能を実現し、ＬＴＥ端末には、ＬＴＥネットワークでＧＳＭネットワーク又は他の音声機能を実現可能なネットワークにロールバックすることが要求される。このように、ＬＴＥ端末には、ＬＴＥモード及び他のモードをサポート可能で、且つＬＴＥモードと他のモードの迅速なハンドオーバをサポート可能であることが要求される。
【０００３】
そして、ＬＴＥ端末では、ＬＴＥネットワークのＰＳ（パケット交換）データ及びＣＳ（回線交換）の並行処理を実現する必要があり、ＬＴＥ端末がＬＴＥモードと他のモードの同時稼動を同時にサポートする必要がある。従来の移動端末加入者では、一人の加入者は複数枚のＵＳＩＭ（汎用加入者識別モジュール）カード／ＳＩＭ（加入者識別モジュール）カードを持ち、異なるカードは異なるネットワークにあり、又は１枚のＵＳＩＭカード／ＳＩＭカードは異なるネットワークに対応する。このように、移動端末には、シングルカードマルチモード及びマルチカードマルチスタンバイをサポート可能であることが要求される。
【０００４】
図１には、２セットの独立した電源管理チップ（ＰＭＵ）、２セットの独立した無線周波数チップ、２セットの独立したデジタルベースバンドチップ、２セットの独立したＳＩＭカードスロット及び２セットの独立したクロックソースを備える、従来のデュアルモードデュアルスタンバイ端末の無線周波数部の構造ブロック図である。２セットの独立したデジタルベースバンドチップ及び２セットの独立した電源管理チップを備えるため、レイアウトする時により大きな面積を占用してしまう。２セットの独立したＳＩＭカードスロットについて、モードの異なる２つのＳＩＭカードはいずれかのカードスロット内に任意に置くことができず、任意のカードスロットのＵＳＩＭ／ＳＩＭカードはいずれかのモードで読み書くことができ、マルチモードマルチスタンバイを実現できるが、マルチモードシングルスタンバイモードのハンドオーバを実現できない。
【発明の概要】
【発明が解決しようとする課題】
【０００５】
本発明の実施例が解決しようとする技術的問題は、マルチモードマルチスタンバイ及びマルチモードシングルスタンバイの機能を実現できるマルチモード端末及びマルチモード端末のハンドオーバ方法を提供することである。
【課題を解決するための手段】
【０００６】
上記技術的問題を解決するために、本発明の実施例に係るマルチモード端末は、電源管理チップ、デジタルベースバンドチップ、第１の無線周波数チップ、第２の無線周波数チップ、第１のカードスロット、第２のカードスロット、第１のクロックソース及び第２のクロックソースを備え、そのうち、前記電源管理チップは前記デジタルベースバンドチップ、第１のカードスロット及び第２のカードスロットに接続され、前記デジタルベースバンドチップ、第１のカードスロット及び第２のカードスロットに給電し、前記デジタルベースバンドチップは前記第１のカードスロット及び第２のカードスロットにさらに接続され、同相／直交Ｉ／Ｑデータ線及び制御線を介してそれぞれ前記第１の無線周波数チップ及び第２の無線周波数チップに接続され、サポートするモードのＩ／Ｑ信号の送受信及び処理、及びサポートするモードの送信パス及び受信パスの制御を実現し、前記第１のクロックソースは前記第１の無線周波数チップに接続され、前記第１の無線周波数チップに基準クロックを提供し、前記第２のクロックソースは前記第２の無線周波数チップに接続され、前記第２の無線周波数チップに基準クロックを提供し、前記第１の無線周波数チップと第２の無線周波数チップの間にクロックパスがさらに接続され、前記第１の無線周波数チップは前記クロックパスを介して、出力クロックを第２の無線周波数チップの基準クロックとして前記第２の無線周波数チップに提供する。
【０００７】
選択的に、前記デジタルベースバンドチップは加入者識別モジュールＳＩＭカード処理ユニットを備えてもよく、前記ＳＩＭカード処理ユニットは、第１のＳＩＭカード処理ユニット、第２のＳＩＭカード処理ユニット、及び第１のカードスロットと第２のカードスロットの各ピンと一対一対応するマルチプレクサＭＵＸを備え、前記ＭＵＸの一方の側は対応するピンに接続され、他方の側は第１のＳＩＭカード処理ユニットと第２のＳＩＭカード処理ユニットのピンと対応する機能端にそれぞれ接続される。
【０００８】
選択的に、前記デジタルベースバンドチップはクロック処理ユニットを備えてもよく、前記クロック処理ユニットは、システムクロック処理ユニット、クロック選択ＭＵＸ、位相ロックループＰＬＬ、第１のモードクロックモジュール、第２のモードクロックモジュール、第１のクロック入力端、第２のクロック入力端及び第３のクロック入力端を備え、そのうち、前記第１のクロック入力端は前記システムクロック処理ユニットに接続され、前記システムクロック処理ユニットに作動クロックを提供し、前記第１のクロック入力端はさらに第２のクロック入力端とともに前記クロック選択ＭＵＸの入力端に接続され、前記クロック選択ＭＵＸの出力端は前記ＰＬＬの入力端に接続され、前記ＰＬＬの出力端は前記第１のモードクロックモジュールに接続され、前記第１のモードクロックモジュールに作動クロックを提供し、前記第２のクロック入力端はさらに前記第１のモードクロックモジュールに直接に接続され、第１のモードクロックモジュールに作動クロックを提供し、前記第３のクロック入力端は前記第２のモードクロックモジュールに接続され、第２のモードクロックモジュールに作動クロックを提供する。
【０００９】
選択的に、前記第１のクロック入力端はさらに前記第１の無線周波数チップにおけるクロックアンプバッファに接続されてもよく、前記第２のクロック入力端はさらに前記第１の無線周波数チップにおけるクロック位相ロックループＰＬＬに接続されてもよく、前記第３のクロック入力端はさらに前記第２の無線周波数チップに接続されてもよい。
【００１０】
選択的に、前記第２の無線周波数チップはクロック選択ユニットを備えてもよく、前記クロック選択ユニットはマルチプレクサ及びクロックアンプを備え、前記マルチプレクサの入力端は前記クロックパスと前記第２のクロックソースに接続され、前記マルチプレクサの出力端は前記クロックアンプの入力端に接続され、前記クロックアンプの出力は前記第２の無線周波数チップの基準クロックとされる。
【００１１】
選択的に、前記デジタルベースバンドチップはＩ／Ｑデータ処理ユニットを備えてもよく、前記Ｉ／Ｑデータ処理ユニットは第１のモデム及び第２のモデムを備え、前記第１のモデムは第１のＩＱデータ線、第２のＩＱデータ線及び第１のサンプリングクロックインターフェース線を介して第１の無線周波数チップに接続され、前記第２のモデムは第３のＩＱデータ線及び第２のサンプリングクロックインターフェース線を介して第２の無線周波数チップに接続される。
【００１２】
選択的に、前記デジタルベースバンドチップはシステムオンチップＳＯＣユニットを備えてもよく、前記ＳＯＣユニットは複数の中央処理装置ＣＰＵ及びデジタル信号処理ユニットＤＳＰを備え、前記複数のＣＰＵ及びＤＳＰはクロスバーマトリックスを介して通信し、モードの異なる複数のモデムは相互接続マトリックスを介して前記クロスバーマトリックスのポートに掛けられ、前記モードの異なる複数のモデムはさらに前記第１のモデム又は第２のモデムに接続される。
【００１３】
選択的に、前記デジタルベースバンドチップは無線周波数制御管理ユニットを備えてもよく、前記無線周波数制御管理ユニットは無線周波数シリアル周辺機器インタフェースＳＰＩ制御ユニットを備え、前記無線周波数ＳＰＩ制御ユニットは第１のシングルデュアルモードセレクタ、第２のシングルデュアルモードセレクタ、第１のピン多重化セレクタ及び第２のピン多重化セレクタを備え、前記第１のモデムのＳＰＩは前記第１のシングルデュアルモードセレクタ及び第２のシングルデュアルモードセレクタにそれぞれ接続され、前記第２のモデムのＳＰＩは前記第１のシングルデュアルモードセレクタ及び第２のシングルデュアルモードセレクタにそれぞれ接続され、前記第１のシングルデュアルモードセレクタは前記第１のピン多重化セレクタを介して前記第１の無線周波数チップのＳＰＩピンに接続され、前記第２のシングルデュアルモードセレクタは前記第２のピン多重化セレクタを介して前記第２の無線周波数チップのＳＰＩピンに接続される。
【００１４】
選択的に、前記デジタルベースバンドチップは無線周波数制御管理ユニットを備えてもよく、前記無線周波数制御管理ユニットは無線周波数汎用入出力ＧＰＩＯ制御ユニットを備え、前記無線周波数ＧＰＩＯ制御ユニットは第１のモードセレクタ、第２のモードセレクタ、第３のピン多重化セレクタ及び第４のピン多重化セレクタを備え、前記第１のモデムの制御線は前記第１のモードセレクタ及び第２のモードセレクタにそれぞれ接続され、前記第２のモデムの制御線は前記第１のモードセレクタ及び第２のモードセレクタにそれぞれ接続され、前記第１のモードセレクタは前記第３のピン多重化セレクタを介して前記第１の無線周波数チップのＧＰＩＯピンに接続され、前記第２のモードセレクタは前記第４のピン多重化セレクタを介して前記第２の無線周波数チップのＧＰＩＯピンに接続される。
【００１５】
マルチモード端末のハンドオーバ方法は、デジタルベースバンドチップは第２の無線周波数チップが第２のクロックソースを基準クロックとして選択するように制御することと、前記デジタルベースバンドチップはモードの異なるモデムをそれぞれ独立に操作することと、前記デジタルベースバンドチップは第１のシングルデュアルモードセレクタが第１のモデムのシリアル周辺機器インタフェースＳＰＩを選択するように制御し、前記第１のシングルデュアルモードセレクタは第１のピン多重化セレクタを介して第１の無線周波数チップのＳＰＩピンに接続され、且つ第２のシングルデュアルモードセレクタが第２のモデムのＳＰＩを選択するように制御し、前記第２のシングルデュアルモードセレクタは第２のピン多重化セレクタを介して第２の無線周波数チップのＳＰＩピンに接続されることと、前記デジタルベースバンドチップは第１のモードセレクタが第１のモデムの汎用入出力ＧＰＩＯを選択するように制御し、前記第１のモードセレクタは第３のピン多重化セレクタを介して第１の無線周波数チップのＧＰＩＯピンに接続され、且つ第２のモードセレクタが第２のモデムのＧＰＩＯを選択するように制御し、前記第２のモードセレクタは第４のピン多重化セレクタを介して第２の無線周波数チップのＧＰＩＯピンに接続されることと、を含む。
【００１６】
マルチモード端末のハンドオーバ方法は、デジタルベースバンドチップは第２の無線周波数チップが第１の無線周波数チップの出力クロックを基準クロックとして選択するように制御することと、前記デジタルベースバンドチップはモードの異なるモデムをそれぞれ独立に操作することと、前記デジタルベースバンドチップは第１のシングルデュアルモードセレクタが第１のモデムのシリアル周辺機器インタフェースＳＰＩ又は第２のモデムのＳＰＩを選択するように制御し、前記第１のシングルデュアルモードセレクタは第１のピン多重化セレクタを介して第１の無線周波数チップのＳＰＩピンに接続され、且つ第２のシングルデュアルモードセレクタが第１のモデムのＳＰＩ又は第２のモデムのＳＰＩを選択するように制御し、前記第２のシングルデュアルモードセレクタは第２のピン多重化セレクタを介して第２の無線周波数チップのＳＰＩピンに接続されることと、前記デジタルベースバンドチップは第１のモードセレクタが第１のモデムの汎用入出力ＧＰＩＯ又は第２のモデムのＧＰＩＯを選択するように制御し、前記第１のモードセレクタは第３のピン多重化セレクタを介して第１の無線周波数チップのＧＰＩＯピンに接続され、且つ第２のモードセレクタが第１のモデムのＧＰＩＯ又は第２のモデムのＧＰＩＯを選択するように制御し、前記第２のモードセレクタは第４のピン多重化セレクタを介して第２の無線周波数チップのＧＰＩＯピンに接続されることと、を含む。
【発明の効果】
【００１７】
以上のように、本発明の実施例に係るマルチモード端末は、マルチモードシングルスタンバイ、マルチモードデュアルスタンバイ、シングルカードマルチモード、デュアルカードデュアルスタンバイなどの機能を実現し、従来の移動オペレータ及び移動端末加入者のニーズを満たすことができる。モードの異なる２つのＳＩＭカードは、任意にいずれかのカードスロット内に置くことができ、任意のカードスロットのＵＳＩＭ／ＳＩＭカードはいずれかのモードで読み書くことができ、マルチモードマルチスタンバイを実現するとともに、マルチモードシングルスタンバイモードのハンドオーバを実現することもでき、デュアルカードデュアルスタンバイを実現するとともに、シングルカードデュアルスタンバイを実現することもできる。
【図面の簡単な説明】
【００１８】
【図１】従来のデュアルモードデュアルスタンバイ端末の無線周波数部の構造ブロック図である。
【図２】本発明の実施形態に係るマルチモード端末の無線周波数部の構造ブロック図である。
【図３】図３は本発明の実施形態に係る電源給電の模式図である。
【図４】図４は本発明の実施形態に係るＳＩＭ処理ユニットのブロック図である。
【図５】図５は本発明の実施形態に係るクロック処理ユニットのブロック図である。
【図６】図６は本発明の実施形態に係るクロック選択ユニットのブロック図である。
【図７】図７は本発明の実施形態に係るＩＱデータ処理ユニットのブロック図である。
【図８】図８は本発明の実施形態に係るＳＯＣユニットのブロック図である。
【図９】図９は本発明の実施形態に係る無線周波数ＳＰＩ制御ユニットのブロック図である。
【図１０】図１０は本発明の実施形態に係る無線周波数ＧＰＩＯ制御ユニットのブロック図である。
【発明を実施するための形態】
【００１９】
本実施形態はマルチモード端末を提供しており、マルチモードマルチスタンバイ、例えばＬＴＥとＧＳＭのデュアルスタンバイ、ＬＴＥマルチモードシングルスタンバイ端末を実現し、シングルカード（ＵＳＩＭ又はＳＩＭカード）マルチモード、デュアルカードデュアルスタンバイ機能を有する。
【００２０】
２つの無線周波数チップはそれぞれ独立した電圧制御温度補償水晶発振器（それぞれＶＣＴＣＸＯ１及びＶＣＴＣＸＯ２である）によって基準クロックが提供される以外、１つのクロックパスを追加し、そのうち一方の無線周波数チップの出力クロックを基準クロックとして他方の無線周波数チップに提供し、デュアルモードデュアルスタンバイからデュアルモードシングルスタンバイにハンドオーバした場合、２つの無線周波数チップは１つのクロック基準ソースを共用する。
【００２１】
２つのＳＩＭカードのピンはポート多重化で２つのＳＩＭカード処理ユニットに接続され、１つのＳＩＭカードがいずれか１つのＳＩＭカード処理ユニットと通信することを実現する。
【００２２】
ＤＢＢ（デジタルベースバンドチップ）には複数の中央処理ユニット（ＣＰＵ）、デジタル信号処理ユニット（ＤＳＰ）を備える。ＣＰＵはＣＲＯＳＳＢＡＲ  ＭＡＴＲＩＸ（クロスバーマトリックス）でプロセッサの間の通信を実現する。ＬＴＥモデム、ＴＤ−ＳＣＤＭＡモデム、ＧＳＭモデム、（登録商標）モデムなどのモデムはインターコネクトマトリックス（相互接続マトリックス）を介してクロスバーマトリックスの複数のポートに掛けられ、それによりいずれか１つのＣＰＵがいずれか１つのモデムと通信可能で、任意２つのＣＰＵが同時に２つのモデムと通信可能であることを実現する。
【００２３】
デュアルモードデュアルスタンバイ状態で、２つの無線周波数チップを独立に制御することを実現するために、あるいは、デュアルモードシングルスタンバイ状態で、２つの無線周波数チップを統括に制御することを実現するために、シリアル周辺機器インタフェース（ＳＰＩ）制御ユニット、汎用入出力（ＧＰＩＯ）制御ユニットなどの制御ユニットにはシングルデュアルモードセレクタ及び多重化セレクタを用いる。
【００２４】
本発明の実施例の目的、技術的解決手段及び利点をより明らかにするために、以下、図面を参照しながら、本発明の実施例を詳細に説明する。なお、衝突がない場合、本願における実施例及び実施例における特徴は互いに任意に組み合せることができる。
【００２５】
図２に示すように、本実施形態に係るマルチモード端末は、電源管理チップ（ＰＭＵ）、第１の無線周波数チップ、第２の無線周波数チップ、デジタルベースバンドチップ、第１のカードスロット、第２のカードスロット、第１のクロックソース、及び第２のクロックソースを備える。１セットのデジタルベースバンドチップ、１セットの電源管理チップを用いることで、レイアウトする時の占用面積を低減させる。２セットの独立したＳＩＭカードスロットを用いることで、モードの異なる２つのＳＩＭカードが任意にいずれか１つのカードスロット内に置くことができ、マルチモードマルチスタンバイを実現するとともに、マルチモードシングルスタンバイモードのハンドオーバを実現することもできる。
【００２６】
電源管理ユニット（ＰＭＵ）は少なくとも２つの独立したＬＤＯ（低ドロップアウトレギュレーター）を備え、２つのＬＤＯはそれぞれ独立に１．８Ｖ／３．０Ｖ電源を出力することができ、それぞれ第１のカードスロット及び第２のカードスロットに給電するとともに、デジタルベースバンドチップに給電する。
【００２７】
デジタルベースバンドチップは、ＬＴＥ、ＴＤ−ＳＣＤＭＡ、ＧＳＭ（登録商標）、ＷＣＤＭＡなどのモードの同相／直交（Ｉ／Ｑ）信号の送受信を処理し、ＬＴＥ、ＴＤ−ＳＣＤＭＡ、ＧＳＭ、ＷＣＤＭＡなどのモードの送信パス、受信パスを制御することに用いられ、ＬＴＥとＧＳＭ、ＬＴＥとＴＤ−ＳＣＤＭＡ、ＬＴＥとＷＣＤＭＡ、ＴＤ−ＳＣＤＭＡとＧＳＭのＩ／Ｑ信号の同時処理を実現し、デジタルベースバンドチップの内部にクロック処理ユニット、Ｉ／Ｑデータ処理ユニット、無線周波数制御管理ユニット、ＳＩＭカード処理ユニット及びＳＯＣ（システムオンチップ）ユニットを備え、２セットの無線周波数チップでは、第１の無線周波数チップは少なくともＬＴＥ／ＴＤ−ＳＣＤＭＡ／ＧＳＭ無線周波数信号の受信及び送信をサポートし、その内部にクロックバッファ（アンプ）及びクロックＰＬＬ（位相ロックループ）を備え、第２の無線周波数チップは少なくともＧＳＭ／ＴＤ−ＳＣＤＭＡ／ＷＣＤＭＡ無線周波数信号の受信及び送信をサポートし、その内部にクロック選択ユニットを備え、第１の無線周波数チップのクロックバッファの出力はクロックパスを介してクロック選択ユニットに入る。
【００２８】
３セットの無線周波数スイッチのうち、１セットはＬＴＥバイパス受信パスの各帯域のハンドオーバに用いられ、１セットはＬＴＥメインパス送受信パスの各帯域のハンドオーバに用いられ、別の１セットは別のモードの無線周波数送受信パスの各帯域のハンドオーバに用いられる。
【００２９】
第１のクロックソース及び第２のクロックソースはそれぞれ第１の無線周波数チップ及び第２の無線周波数チップに基準クロックを提供する。
【００３０】
複数セットのパワー増幅器（ＰＡ）は、無線周波数チップが出力した無線周波数信号を増幅する。
【００３１】
複数セットの耐高出力性フィルタは、パワー増幅器の出力信号のアウトバンドスプリアス信号をフィルタする。
【００３２】
複数セットの耐低出力性フィルタは、受信信号のアウトバンドスプリアス信号をフィルタする。
【００３３】
２セットのＤＣＤＣデバイスは、それぞれパワー増幅器に給電する。
【００３４】
第１のカードスロット及び第２のカードスロットにそれぞれ独立に任意のＵＳＩＭカード／ＳＩＭカードを挿入することができる。
【００３５】
図３に示すように、電源管理ユニット（ＰＭＵ）は少なくとも２つの独立したＬＤＯを備え、２つのＬＤＯはそれぞれ独立に１．８Ｖ／３．０Ｖ電源を出力することができ、それぞれ第１のカードスロット及び第２のカードスロットに給電するとともに、デジタルベースバンドチップに給電する。
【００３６】
デジタルベースバンドチップは、ＬＴＥ、ＴＤ−ＳＣＤＭＡ、ＧＳＭ、ＷＣＤＭＡなどのモードのＩ／Ｑ信号の送受信を処理することに用いられ、ＬＴＥ、ＴＤ−ＳＣＤＭＡ、ＧＳＭ、ＷＣＤＭＡなどのモードの送信パス、受信パスへの制御を実現することができ、ＬＴＥとＧＳＭ、ＬＴＥとＴＤ−ＳＣＤＭＡ、ＬＴＥとＷＣＤＭＡ、ＴＤ−ＳＣＤＭＡとＧＳＭのＩ／Ｑ信号の同時処理を実現することができ、デジタルベースバンドチップの内部にクロック処理ユニット、Ｉ／Ｑデータ処理ユニット、無線周波数制御ユニット、ＳＩＭカード処理ユニット及びＳＯＣユニットを備え、図４に示すように、ＳＩＭカード処理ユニットの内部に独立した第１のＳＩＭカード処理ユニット及び第２のＳＩＭカード処理ユニットを備え、外部の２つのＵＳＩＭカード／ＳＩＭカードでの信号（ＵＳＩＭ１＿ＶＣＣ、ＵＳＩＭ１＿ＲＥＳＥＴ、ＵＳＩＭ１＿ＤＡＴＡ、ＵＳＩＭ１＿ＣＬＫ、ＵＳＩＭ２＿ＶＣＣ、ＵＳＩＭ２＿ＲＥＳＥＴ、ＵＳＩＭ２＿ＤＡＴＡ、ＵＳＩＭ２＿ＣＬＫ）はそれぞれデジタルベースバンドチップの対応するピンに接続され、ＭＵＸ（マルチプレクサ）の一端はＳＩＭカードのピンに接続され、ＭＵＸの他端はそれぞれ第１のＳＩＭカード処理ユニット及び第２のＳＩＭカード処理ユニットの対応機能端に接続される。ＳＩＭカードピンはＭＵＸを介して接続するＵＳＩＭカード／ＳＩＭカード処理ユニットを選択する。
【００３７】
図５に示すように、クロック処理ユニットは少なくとも３つのクロック入力ポートを備え、システムクロック処理ユニット、クロック選択ＭＵＸ、位相ロックループＰＬＬ、第１のモードクロックモジュール、第２のモードクロックモジュール、第１のクロック入力端（ＲＥＦＣＬＫ１）、第２のクロック入力端（ＲＥＦＣＬＫ２）及び第３のクロック入力端（ＲＥＦＣＬＫ３）を備え、第１のモードクロックモジュール及び第２のモードクロックモジュールはＬＴＥクロックモジュール、ＴＤ−ＳＣＤＭＡクロックモジュール、ＧＳＭクロックモジュール、ＷＣＤＭＡクロックモジュールなどのうちの一つであり、例えば第１のモードクロックモジュールはＬＴＥ／ＴＤ−ＳＣＤＭＡ／ＧＳＭクロックモジュールであってもよく、第２のモードクロックモジュールはＧＳＭ／ＴＤ−ＳＣＤＭＡ／ＷＣＤＭＡクロックモジュールであってもよい。ＲＥＦＣＬＫ１はシステムクロック処理ユニットに接続され、ＲＥＦＣＬＫ１はさらにＲＥＦＣＬＫ２とともにクロック選択ＭＵＸの入力端に接続され、クロック選択ＭＵＸの出力端はＰＬＬの入力端に接続され、ＰＬＬの出力端は第１のモードクロックモジュールに接続され、第１のモードクロックモジュールに作動クロックを提供する。ＲＥＦＣＬＫ２は付随サンプリングクロックとして、第１のモードクロックモジュールに直接に接続され、第１のモードクロックモジュールに作動クロックを提供する。ＲＥＦＣＬＫ３は第２のモードクロックモジュールに作動クロックを提供する。
【００３８】
図６に示すように、クロック選択ユニットはＭＵＸ（マルチプレクサ）及びクロックバッファを備える。ＭＵＸの入力端はクロックパス及び第２のクロックソースに接続され、ＭＵＸの出力端はクロックバッファの入力端に接続され、クロックバッファの出力は第２の無線周波数チップの基準クロックとされる。端末がマルチモードシングルスタンバイ状態で稼動する場合、ＣＬＫ＿ＩＮ１（クロックパスに接続）を無線周波数チップ２の基準クロックとして選択し、端末がマルチモードデュアルスタンバイ状態で稼動する場合、ＣＬＫ＿ＩＮ２（第２のクロックソースに接続）を無線周波数チップ２の基準クロックとして選択する。
【００３９】
図７に示すように、Ｉ／Ｑデータ処理ユニットは第１のモデム、第２のモデム、３セットのデータＩＱインターフェース、２セットのサンプリングクロックを備える。第１の無線周波数チップは第１のＩＱデータ線（ＲＦ１＿ＩＱ１＿ｄａｔａ）、第２のＩＱデータ線（ＲＦ１＿ＩＱ２＿ｄａｔａ）、第１のサンプリングクロックインターフェース線（ＲＦ１＿ＩＱ＿ｃｌｋ）を介して第１のモデムに接続され、第１の無線周波数チップと第１のモデムのデータ伝送を実現する。第２の無線周波数チップは第３のＩＱデータ線（ＲＦ２＿ＩＱ＿ｄａｔａ）、第２のサンプリングクロックインターフェース線（ＲＦ２＿ＩＱ＿ｃｌｋ）を介して第２のモデムに接続され、第２の無線周波数チップと第２のモデムのデータ伝送を実現する。
【００４０】
図８に示すように、ＳＯＣユニットはマルチモードデュアルスタンバイ及びマルチモードシングルスタンバイのスケジューリング、２つのモードのデータへの処理を実現し、端末全体への制御などの機能を完成する。内部には、主に複数の中央処理ユニット（ＣＰＵ）及びデジタル信号処理ユニット（ＤＳＰ）を備え、ＣＰＵはクロスバーマトリックスを介してプロセッサの間の通信を実現する。モードの異なる複数のモデム、例えばＬＴＥモデム、ＴＤ−ＳＣＤＭＡモデム、ＧＳＭモデム、ＷＣＤＭＡモデムなどはインターコネクトマトリックスを介してクロスバーマトリックスの複数のポートに掛けられ、それによりいずれか１つのＣＰＵがいずれか１つのモデムと通信可能で、任意の２つのＣＰＵがいずれも同時に２つのモデムと通信可能であることを実現する。モードの異なる複数のモデムは第１のモデム又は第２のモデムとして第１のモデム又は第２のモデムに接続される。
【００４１】
図９に示すように、デジタルベースバンドチップは無線周波数制御管理ユニットを備え、無線周波数制御管理ユニットは無線周波数ＳＰＩ制御ユニットを備え、無線周波数ＳＰＩ制御ユニットの内部にピン多重化セレクタ、シングルデュアルモードセレクタを用いる。第１のモデムのＳＰＩは２チャネルに分けられ、一方のチャネルは第１のシングルデュアルモードセレクタに接続され、他方のチャネルは第２のシングルデュアルモードセレクタに接続される。第２のモデムのＳＰＩは２チャネルに分けられ、一方のチャネルは第１のシングルデュアルモードセレクタに接続され、他方のチャネルは第２のシングルデュアルモードセレクタに接続される。第１のシングルデュアルモードセレクタは第１のピン多重化セレクタに接続され、第２のシングルデュアルモードセレクタは第２のピン多重化セレクタに接続され、第１のピン多重化セレクタは第１の無線周波数チップのＳＰＩピンに接続され、第２のピン多重化セレクタは第２の無線周波数チップのＳＰＩピンに接続される。
【００４２】
この構造の主な目的はマルチモードデュアルスタンバイの場合で、２つのＳＰＩが独立に２つの無線周波数モジュールを制御し、マルチモードシングルスタンバイの場合で、１つのＳＰＩのみが２つの無線周波数モジュールを制御可能であることである。
【００４３】
図１０に示すように、デジタルベースバンドチップは無線周波数制御管理ユニットを備え、無線周波数制御管理ユニットは無線周波数ＧＰＩＯ制御ユニットを備え、無線周波数ＧＰＩＯ制御ユニットの内部に２つのピン多重化セレクタ（第３のピン多重化セレクタ及び第４のピン多重化セレクタ）、２つのモードセレクタ（第１のモードセレクタ及び第２のモードセレクタ）を用いる。第１のモデムの制御線は２チャネルに分けられ、一方のチャネルは第１のモードセレクタに接続され、他方のチャネルは第２のモードセレクタに接続される。第２のモデムの制御線は２チャネルに分けられ、一方のチャネルは第２のモードセレクタに接続され、他方のチャネルは第１のモードセレクタに接続される。第１のモードセレクタは第３のピン多重化セレクタに接続され、第３のピンマルチプレクサは第１の無線周波数チップのＧＰＩＯの対応するピンに接続される。第２のモードセレクタは第４のピン多重化セレクタに接続され、第４のピンマルチプレクサは第２の無線周波数チップのＧＰＩＯの対応するピンに接続される。
【００４４】
モードセレクタは本質的に１セットのスイッチ選択ユニットアレイである。この構造の主な目的はマルチモードデュアルスタンバイの場合で、２セットのＧＰＩＯが独立に２つの無線周波数モジュールを制御し、マルチモードシングルスタンバイ場合で、１セットのＧＰＩＯのみが２つの無線周波数モジュールを制御可能であることである。
【００４５】
デュアルモードデュアル通信のハンドオーバ作業フローは、ＤＢＢは第２の無線周波数チップが第２のクロックソースを第２の無線周波数チップの基準クロックとして選択するように制御するステップ１、ＤＢＢの中央処理装置はＣＲＯＳＳＢＡＲを介してそれぞれ同時に各モードの異なるモデムを独立に操作するステップ２、ＤＢＢは第１のシングルデュアルモードセレクタが第１のモデムのＳＰＩを選択するように制御し、第１のシングルデュアルモードセレクタは第１のピン多重化セレクタを介して第１の無線周波数チップのＳＰＩピンに接続され、ＤＢＢは第２のシングルデュアルモードセレクタが第２のモデムのＳＰＩを選択するように制御し、第２のシングルデュアルモードセレクタは第２のピン多重化セレクタを介して第２の無線周波数チップのＳＰＩピンに接続されるステップ３、ＤＢＢは第１のモードセレクタが第１のモデムのＧＰＩＯを選択するように制御し、第１のモードセレクタは第３のピン多重化セレクタを介して第１の無線周波数チップのＧＰＩＯピンに接続され、ＤＢＢは第２のモードセレクタが第２のモデムのＧＰＩＯを選択するように制御し、第２のモードセレクタは第４のピン多重化セレクタを介して第２の無線周波数チップのＧＰＩＯピンに接続されるステップ４、及び、ノーマルのマルチモードマルチスタンバイデュアル通信の操作を行うステップ５、を含む。
【００４６】
デュアルモードシングルスタンバイのハンドオーバ作業フローは、ＤＢＢは、第２の無線周波数チップが第１の無線周波数チップの出力クロックを第２の無線周波数チップの基準クロックとして選択するように制御するステップ１、ＤＢＢの中央処理装置はＣＲＯＳＳＢＡＲを介してそれぞれ各モードの異なるモデムを独立に操作するステップ２、ＤＢＢは第１のシングルデュアルモードセレクタが第１のモデムのＳＰＩ又は第２のモデムのＳＰＩを選択するように制御し、第１のシングルデュアルモードセレクタは第１のピン多重化セレクタを介して第１の無線周波数チップのＳＰＩピンに接続され、ＤＢＢは第２のシングルデュアルモードセレクタが第１のモデムのＳＰＩ又は第２のモデムのＳＰＩを選択するように制御し、第２のシングルデュアルモードセレクタは第２のピン多重化セレクタを介して第２の無線周波数チップのＳＰＩピンに接続されるステップ３、ＤＢＢは第１のモードセレクタが第１のモデムのＧＰＩＯ又は第２のモデムのＧＰＩＯを選択するように制御し、第１のモードセレクタは第３のピン多重化セレクタを介して第１の無線周波数チップのＧＰＩＯピンに接続され、ＤＢＢは第２のモードセレクタが第１のモデムのＧＰＩＯ又は第２のモデムのＧＰＩＯを選択するように制御し、第２のモードセレクタは第４のピン多重化セレクタを介して第２の無線周波数チップのＧＰＩＯピンに接続されるステップ４、及び、ノーマルのマルチモードシングルスタンバイの操作を行うステップ５、を含む。
【００４７】
明らかなように、当業者は、上記の本発明の実施例の各モジュール又は各ステップを汎用の算出装置で実現してもよく、それらは単一の算出装置に集中されてもよく、又は複数の算出装置からなるネットワークに分布してもよいと理解すべきである。選択肢として、それらは算出装置が実行可能なプログラムコードで実現されてもよく、それにより、それらを記憶装置に記憶して算出装置で実行することができ、又はそれらをそれぞれ各集積回路モジュールに製作し、又はそれらのうちの複数のモジュール又はステップを単一の集積回路モジュールに製作して実現してもよい。このように、本発明の実施例はいかなる特定形式のハードウェアとソフトウェアの組合せに限らない。
【００４８】
以上は本発明の好適な実施例に過ぎず、本発明を制限するものではなく、当業者にとって、本発明の実施例に対して各種の変更及び変形を行うことができる。本発明の趣旨及び原則内に行ったいかなる変更、等価置換、改良などは、いずれも本発明の実施例の保護範囲の内に属すべきである。
【産業上の利用可能性】
【００４９】
本発明の実施例に係るマルチモード端末は、マルチモードシングルスタンバイ、マルチモードデュアルスタンバイ、シングルカードマルチモード、デュアルカードデュアルスタンバイなどの機能を実現し、従来の移動オペレータ及び移動端末加入者のニーズを満たすことができる。モードの異なる２つのＳＩＭカードは任意にいずれかのカードスロット内に置くことができ、任意のカードスロットのＵＳＩＭ／ＳＩＭカードはいずれかのモードで読み書くことができ、マルチモードマルチスタンバイを実現するとともに、マルチモードシングルスタンバイモードのハンドオーバを実現することもでき、デュアルカードデュアルスタンバイを実現するとともに、シングルカードデュアルスタンバイを実現することもできる。
【図３】
0005992114.tif 000002
【図１】
0005992114.tif 000003
【図２】
0005992114.tif 000004
【図４】
0005992114.tif 000005
【図５】
0005992114.tif 000006
【図６】
0005992114.tif 000007
【図７】
0005992114.tif 000008
【図８】
0005992114.tif 000009
【図９】
0005992114.tif 000010
【図１０】
0005992114.tif 000011